【事件の表示】
　平成　９年特許願第５１５５５８号「少なくともグラフト化シリコーンポリマー及び非イオン又はカチオン性ポリマーの不溶性粒子の少なくとも水性分散物を含むケラチン材料のトリートメント用化粧品組成物」拒絶査定不服審判事件〔平成　９年　４月２４日国際公開、ＷＯ９７／１４４００、平成１１年　１月１２日国内公表、特表平１１−５００４４９〕について、次のとおり審決する。
【結　論】
　本件審判の請求は、成り立たない。
【理　由】
１．手続の経緯
　本願は、平成８年１０月８日を国際出願日（パリ条約による優先権主張１９９５年１０月１８日、フランス）とする出願であって、平成１４年７月３１日付けで拒絶査定がされ、これに対し、平成１４年１１月５日に審判請求がされるとともに、平成１４年１２月４日付けで手続補正がされたものである。
　
２．平成１４年１２月４日付けの手続補正について
　上記手続補正は、以下の理由により却下する。
　
[理由]
　
（１）補正後の本願発明
　
　本件補正により、特許請求の範囲の請求項１は、
「ケラチン物質の処理のために意図される化粧又は皮膚科学的組成物であり、化粧学的又は皮膚科学的に許容できる媒体中に、
下式（Ｉ）：
[構造式省略]
式中、基G１は同じか又は異なって良く、水素又はC１−C１０のアルキル基又は二者択一的にフェニル基を表し；基G２は、同じか又は異なって良く、C１−C１０アルキレン基を表し；G３は、エチレン不飽和を含む少なくとも１種のアニオン性モノマーの（ホモ）重合化の結果得られるポリマー残基を表し；G４はエチレン不飽和を含む少なくとも１種の疎水性モノマーの（ホモ）重合化の結果得られるポリマー残基を表し；ｍとｎは０又は１に等しく；ａは０から５０までの範囲の整数であり；ｂは１０から３５０の間として良い整数、ｃは０から５０までの範囲の整数であり；ただし、パラメータのａとｃのうちの一つは０以外である；
の単位を含む少なくとも１種のグラフト化シリコーンポリマーと、
　非イオン性又はカチオン性ポリマーの不溶性粒子の少なくとも１種の水性分散物とを備えることを特徴とする組成物」
と補正された。
　上記補正は、補正前の請求項１における「非シリコーン有機モノマーとグラフト化されたポリシロキサン骨格を持つ少なくとも１種のグラフト化シリコーンポリマー」を限定するものであって、特許法第１７条の２第４項第２号の特許請求の範囲の減縮を目的とするものに該当する。
　そこで、上記補正後の前記特許請求の範囲に記載された事項により特定される発明（以下、「補正発明」という。）が特許出願の際独立して特許を受けることができるものであるか（特許法第１７条の２第５項において準用する同法第１２６条第４項の規定に適合するか）について以下に検討する。
　
（２）引用例の記載事項
　
[１]特表平７−５０８０２７号公報（以下、「刊行物１」という。）
　
[1-1]「１．次式のグラフト又はブロックコポリマーを含んでなる化粧品製剤
　[構造式省略]
（式中Ｇ５は一価の成分であって、独立して、アルキル、アリール、アルカリール、アルコキシ、アルキルアミノ、フルオロアルキル、水素及び−ＺＳＡより成る群から選ばれる同一又は異なるものであり；
Ａは重合したフリーラジカル重合性モノマーより本質的に成るビニルポリマーセグメントであり；
Ｚは二価の連結基であり
Ｇ６は一価の成分であって、独立して、アルキル、アリール、アルカリール、アルコキシ、アルキルアミノ、フルオロアルキル、水素及び−ＺＳＡよりなる群から選ばれる同一又は異なるものであり；
Ｇ２はＡを含んで成り；
Ｇ４はＡを含んで成り；
Ｒ１は一価の成分であって、独立して、アルキル、アリール、アルカリール、アルコキシ、アルキルアミノ、フルオロアルキル、水素及びヒドロキシルより成る群から選ばれる同一又は異なるものであり；
Ｒ２は独立して同一又は異なってよく、そして二価の連結基を表わし；
Ｒ３は一価の成分であって、独立して、アルキル、アリール、アルカリール、アルコキシ、アルキルアミノ、フルオロアルキル、水素及びヒドロキシルより成る群から選ばれる同一又は異なるものであり；
Ｒ４独立して同一又は異なってよく、そして二価の連結基を表し；
ｘは０〜３の整数であり；
ｙは５以上の整数であり；
ｑは０〜３の整数であり；
ここで下記の少なくとも一つが真実である；
ｑは少なくとも１の整数である；
ｘは少なくとも１の整数である；
Ｇ５は少なくとも１つの−ＺＳＡ成分を含んで成る；及びＧ６は少なくとも１つの−ＺＳＡ成分を含んで成る）。
・・・
３．Ｒ２がＣ１〜Ｃ１０アルキレン・・・請求項１記載の製剤。
・・・
５．Ｒ４がＣ１〜Ｃ１０アルキレン・・・請求項１記載の製剤。
・・・
６．ＺがＣ１〜Ｃ１０アルキレン・・・請求項１記載の製剤。
・・・
９．ｙが約１０〜約２７０に範囲する整数である、請求項１記載の製剤。
・・・
12．前記製剤がヘアーケア製剤である、請求項１記載の製剤。
13．前記製剤がヘアーコンディショニング製剤である、請求項１記載の製剤。
・・・
17．Ａが１〜８個の炭素原子を有するアルキルアルコールより成る群から選ばれるアルコールのアクリル酸又はメタクリル酸エステルより成る群から選ばれる重合したフリーラジカル重合性モノマーを含んで成る、請求項１記載の製剤。
・・・
19．Ａが、カチオン、アニオン、非イオン又は両性物質の親水性不飽和モノマーより成る群から選ばれる重合したフリーラジカル重合性モノマーを含んで成る、請求項１記載の製剤。」（請求の範囲）
　
[1-2]「このコポリマーを含ませるこのヘアーケア製品は任意の形態、例えば液体、クリーム、エマルジョン、ゲル等でありうる。それは公知の慣用の天然ポリマー、天然ポリマーの改質生成物又は合成ポリマーと組合わせて用いてもよい。」（第１３頁左下欄第１〜４行）
　
[1-3]「本発明に係るコポリマーはこのようなヘアーケア製品において、このようなヘアーケア製品に慣用的に使用されているアニオン、非イオン、カチオン及び両性ポリマー及びポリシロキサンポリマーの部分的もしくは総合的代替品として、又はそれらと組合わせて使用される。」（第１３頁右下欄第１７〜２１行）
 
[1-4]「ヘアーケア化粧品製剤に用いたとき、これらのコポリマーは優れた輝き、光沢、コンディショニング及びスタイル保持力を、こわばった、及び粘着性の感触抜きで供する。」（第５頁左下欄第２〜４行）
　
[1-5]「本製剤をリンスのために使用した場合、すすぎ後の髪は滑らかなくし通りを有し、そして乾かした後の髪は優れた光沢及び輝きを有し、そして滑らかなくし通りとなるほど滑らかな感触を有していた。」（第１６頁右下欄第１〜３行）
　
[1-6]「例２６−３０
　本発明の代表的なヘアースプレー製剤を下記の処方を利用して調製した。・・・それらは保持能力を維持する非常に良好なセット力及び滑らかな感触を供した。」
 　
[２]特開昭６２−６３５０８号公報（以下、「刊行物２」という。）
　
[2-1]「１．平均粒子径（重量平均）が０．００５〜０．２μｍで、かつ粒子径０．００５〜０．２μｍのものが全体の９５重量％以上である有機高分子よりなる高分子ラテックスを、有機高分子として０．０１〜１０重量％含有することを特徴とする毛髪化粧料。
２．有機高分子がビニル系モノマーの重合体・・・から選ばれる高分子ラテックスである特許請求の範囲第１項記載の毛髪化粧料。
３．ビニルモノマーの重合体がポリスチレン及びスチレンとスチレン以外のビニル系モノマーの１種もしくは２種以上との共重合体から選ばれる高分子ラテックスである特許請求の範囲第２項記載の毛髪化粧料。」（特許請求の範囲）
　
[2-2]「本発明は毛髪化粧料、更に詳しくは、微細で水不溶性の有機高分子からなる高分子ラテックスを含有し、毛髪に対して優れたスタイル形成／維持性能を有すると共に、毛髪に良好な感触を付与する毛髪化粧料に関する」（第２頁左上欄第１０〜１４行）
　　
[３]特開昭６０−８４２１１号公報（以下、「刊行物３」という。）
　
[3-1]「髪のセットを長持ちさせ得る本発明のヘアリンスコンディショナー剤は、水性媒質中に、ラメラ状分散相（disperse lamellar phase）で存在する陽イオン界面活性剤と水不溶性皮膜形成ポリマー粒子のラテックスとを含み、前記ラテックスの皮膜形成最低温度は１５〜５０℃であり、またこの組成物は陽イオンポリマー、即ち陽イオン官能基を有するポリマーを含有しない。」（第２頁右下欄第６〜１３行）
　
[3-2]「本発明のリンスコンディショナー組成物中の水不溶性皮膜形成ポリマーは、１５〜５０℃、好ましくは１５〜３５℃の皮膜形成最低温度を有するラテックスエマルジョンとして含有されている。・・・適当なポリマーの例としては、ポリ（酢酸ビニル）、スチレンとアクリル酸アルキルとのコポリマー、及び酢酸ビニルとアクリル酸とのコポリマーが挙げられる。」（第３頁右上欄第４〜１４行）
　
[3-3]「本発明のコンディショナー剤の毛髪セッティグ特性は、髪に付着するラテックスのポリマー粒子に由来すると考えられ、該粒子はヘアスタイルを保持するべく機能するポリマー皮膜を形成する。比較的低い皮膜形成温度を有するポリマーラテックスから髪に付着する粒子は、髪の乾燥に例えばヘアドライヤーを使用しなくても皮膜を形成しうる。」（第３頁右下欄第６〜１３行）
　
[3-4]「実施例２
　次の組成を有するリンスコンディショナーを製造した。
　　　　　　　　　　　　　　　　　　　　　　　％
セチルトリメチルアンモニウムクロライド　　　１．４
　　　　　　　　　　　　　（５０％活性）
パラフィン蝋（融点４８〜５２℃）　　　　　　１．０
セントステアリルアルコール　　　　　　　　　１．７５
グリセリルモノステアレート　　　　　　　　　０．７
ポリ酢酸ビニルのラテックス　　　　　　　　　５．０
　　　　　　　（固体５０％）
水　　　　　　　　　　　　　　　　　　　１００．０となるまで
・・・
上記生成物で髪の房を実施例１に記載した方法により処理することによって、髪に形状維持特性が付与された。」（第５頁右上欄第２行〜左下欄第２行）
　
（３）対比
　刊行物１には、「次式のグラフトコポリマーを含んでなるヘアーケア製剤
　[構造式省略]
（式中Ｇ５は一価の成分であって、独立して、アルキル、アリール、アルカリール、アルコキシ、アルキルアミノ、フルオロアルキル、水素及び−ＺＳＡよりなる群から選ばれる同一又は異なるものであり；
Ａは、重合した、１〜８個の炭素原子を有するアルキルアルコールより成る群から選ばれるアルコールのアクリル酸又はメタクリル酸エステルより成る群から選ばれるフリーラジカル重合性モノマー、又は、カチオン、アニオン、非イオン又は両性物質の親水性不飽和モノマーより成る群から選ばれるフリーラジカル重合性モノマーより本質的に成るビニルポリマーセグメントであり；
ＺはＣ１〜Ｃ１０アルキレンであり；
Ｇ６は一価の成分であって、独立して、アルキル、アリール、アルカリール、アルコキシ、アルキルアミノ、フルオロアルキル、水素及び−ＺＳＡよりなる群から選ばれる同一又は異なるものであり；
Ｇ２はＡを含んで成り；
Ｇ４はＡを含んで成り；
Ｒ１は一価の成分であって、独立して、アルキル、アリール、アルカリール、アルコキシ、アルキルアミノ、フルオロアルキル、水素及びヒドロキシルより成る群から選ばれる同一又は異なるものであり；
Ｒ２はＣ１〜Ｃ１０アルキレン；
Ｒ３は一価の成分であって、独立して、アルキル、アリール、アルカリール、アルコキシ、アルキルアミノ、フルオロアルキル、水素及びヒドロキシルより成る群から選ばれる同一又は異なるものであり；
Ｒ４はＣ１〜Ｃ１０アルキレン；
ｘは０〜３の整数であり；
ｙは約１０〜約２７０に範囲する整数であり；
ｑは０〜３の整数であり；
ここで下記の少なくとも一つが真実である；
ｑは少なくとも１の整数である；
ｘは少なくとも１の整数である；
Ｇ５は少なくとも１つの−ＺＳＡ成分を含んで成る；及びＧ６は少なくとも１つの−ＺＳＡ成分を含んで成る）。」（以下、「刊行物１発明」という。）が記載（[1-1])されている。
　
　そこで、補正発明と刊行物１発明とを対比する。
　まず、刊行物１発明の「グラフトコポリマー」（以下、「刊行物１グラフト」ということもある。）と　補正発明の「グラフト化シリコーンポリマー」（以下、「補正グラフト」ということもある。）について検討すると、両者ともに、ポリシロキサンを主鎖とし、重合体がスルフィド結合を介して結合されたグラフト重合体である点で一致する。
　次に、刊行物１グラフトにおける主鎖の置換基であるＧ５及びＧ６は「アルキル、アリール、・・・水素及びＺＳＡより成る群から選ばれる同一又は異なるもの」であるから、刊行物１グラフトの主鎖置換基としては、Ｇ５及びＧ６がともに「アルキル、アリール、水素」であるもの、及びＧ５及びＧ６の少なくとも一方が「ＺＳＡ」で表されるものが包含されていて、該Ｇ５及びＧ６がともに「アルキル、アリール、水素」、かつ、Ｒ１及びＲ３が「アルキル、アリール、水素」であるものは、補正グラフトにおける「Ｇ１が水素又はＣ１−Ｃ１０のアルキル基又は二者択一的にフェニル基」であるものに相当する。また、該Ｇ５及びＧ６の少なくとも一方が「ＺＳＡ」で表され、かつ、Ｇ２及びＧ４が「Ａを含んで成る」基である場合は、補正グラフトの「G３は、エチレン不飽和を含む少なくとも１種のアニオン性モノマーの（ホモ）重合化の結果得られるポリマー残基を表し；G４はエチレン不飽和を含む少なくとも１種の疎水性モノマーの（ホモ）重合化の結果得られるポリマー残基」に相当し、刊行物１グラフトにおけるＲ２及びＲ４の「Ｃ１〜Ｃ１０アルキレン」は、補正グラフトにおけるＧ２の「Ｃ１〜Ｃ１０アルキレン基」に相当するから、両者は共通の「スルフィド結合を介して結合している重合体」を有していることとなる。
　そして、刊行物１グラフトの「ｙは約１０〜約２７０に範囲する整数」は、補正グラフトの「ａは０から５０までの範囲の整数であり；ｂは１０から３５０の間として良い整数、ｃは０から５０までの範囲の整数であり；ただし、パラメータのａとｃのうちの一つは０以外」に相当し、両者は共通の「主鎖への置換基」の数、及び「スルフィド結合を介して結合している重合体」の数を有している。これらの諸点からして、刊行物１発明の「グラフトコポリマー」は、補正発明の「グラフト化シリコーンポリマー」に相当すると認められる。
　また、刊行物１発明の「ヘアーケアー製剤」は、補正発明の「ケラチン物質の処理のために意図される化粧組成物」に相当し、刊行物１には、その実施例２１〜３１として、補正発明の「化粧学的又は皮膚科学的に許容できる媒体」に相当する「水又はエタノール」を使用したヘアーケアー製剤が記載されているから、結局、両者は、
「ケラチン物質の処理のために意図される化粧組成物であり、化粧学的に許容できる媒体中に、
下式（Ｉ）：
[構造式省略]
式中、基G１は同じか又は異なって良く、水素又はC１−C１０のアルキル基又は二者択一的にフェニル基を表し；基G２は、同じか又は異なって良く、C１−C１０アルキレン基を表し；G３は、エチレン不飽和を含む少なくとも１種のアニオン性モノマーの（ホモ）重合化の結果得られるポリマー残基を表し；G４はエチレン不飽和を含む少なくとも１種の疎水性モノマーの（ホモ）重合化の結果得られるポリマー残基を表し；ｍとｎは０又は１に等しく；ａは０から５０までの範囲の整数であり；ｂは１０から３５０の間として良い整数、ｃは０から５０までの範囲の整数であり；ただし、パラメータのａとｃのうちの一つは０以外である；
の単位を含む少なくとも１種のグラフト化シリコーンポリマーを備えることを特徴とする組成物」である点で一致し、前者が、ケラチン物質の処理のために意図される化粧組成物の構成成分として、更に、「非イオン性又はカチオン性ポリマーの不溶性粒子の少なくとも１種の水性分散物」を併用しているのに対して、後者は、該水性分散物を併用することは、明記されていない点で相違する。
　
（４）判断
　上記相違点について検討する。
　刊行物１には、刊行物１発明に係るヘアーケア製剤が、優れたスタイル保持力、滑らかな感触等を有していること（[1-4]〜[1-6]）、また、刊行物１発明に係るグラフトコポリマーが、公知の慣用の天然ポリマー、天然ポリマーの改質生成物又は合成ポリマー、ヘアーケア製品に慣用的に使用されているアニオン、非イオン、カチオン及び両性ポリマーと組合わせて使用される旨記載（[1-2],[1-3])されている。
　ところで、補正発明における「非イオン性又はカチオン性ポリマーの不溶性粒子の少なくとも１種の水性分散物」とは、本願明細書の第５頁に「従来技術において周知であるプロセスに従ってモノマーの懸濁又は乳化重合又は共重合化によって一般に得られる（そのような分散物は「ラチシス（latices）」としても知られる）」と記載されているとおり、いわゆる「ラテックス」であるところ、刊行物２及び刊行物３には、ポリスチレン、スチレンとスチレン以外のビニル系モノマーの１種もしくは２種以上との共重合体、ポリ（酢酸ビニル）、スチレンとアクリル酸アルキルとのコポリマー、及び酢酸ビニルとアクリル酸とのコポリマー等の非イオン性ポリマーのラテックスが毛髪化粧料の配合ポリマーとして利用でき、毛髪に対して優れたスタイル形成／維持性能を有し、髪に形状維持特性が付与されること（[2-1]、[2-2]、[3-1]、[3-2]、[3-4])、また、刊行物３には、該ラテックスにヘアースタイルを保持する機能があること（[3-3]）が記載されている。これらの記載によれば、ヘアーケア製品へ配合するポリマーを「ラテックス」の形態で使用することは周知であると認められるから、刊行物１に、併用使用してもよいポリマーとして挙げられた「非イオン性ポリマー」を、刊行物２及び刊行物３に記載された「非イオン性ポリマーのラテックス」として使用すること、すなわち、「非イオン性ポリマーの不溶性粒子の少なくとも１種の水性分散物」を選択することは当業者が容易になし得ることである。そして、そのことにより格別予測できない顕著な効果を奏しているとも認められない。
　したがって、補正発明は、刊行物１，刊行物２及び刊行物３に記載された発明に基づいて当業者が容易に発明することができたものであるから、特許法第２９条第２項の規定により特許出願の際独立して特許を受けることができない。
　
（５）以上のとおり、本件補正は、特許法第１７条の２第５項で準用する同法第１２６条第４項の規定に違反するから、特許法第１５９条第１項で準用する特許法第５３条第１項の規定により却下されるべきものである。
　
３．平成１４年１２月４日付けの手続補正は上記のとおり却下されたので、本願の請求項１に係る発明（以下、「本願発明」という。）は、平成１２年９月２６日付け手続補正書の特許請求の範囲の請求項１に記載された事項により特定される、以下のとおりのものである。
　
「ケラチン物質の処理のために意図される化粧又は皮膚科学的組成物であり、化粧学的又は皮膚科学的に許容できる媒体中に、
非シリコーン有機モノマーとグラフト化されたポリシロキサン骨格を持つ少なくとも１種のグラフト化シリコーンポリマーと、非イオン性又はカチオン性ポリマーの不溶性粒子の少なくとも１種の水性分散物とを備えることを特徴とする組成物」
　
（１）引用例
　原査定の拒絶の理由に引用された引用例及びその記載事項は、前記「２．（２）」に記載したとおりである。
　
（２）対比・判断
　前記２．で検討した補正発明は、本願発明における「非シリコーン有機モノマーとグラフト化されたポリシロキサン骨格を持つ少なくとも１種のグラフト化シリコーンポリマー」を限定するものであるから、本願発明は補正発明を包含する。
　前記２．（１）〜（４）に記載したとおり、補正発明が、刊行物１、刊行物２及び刊行物３に基づいて当業者が容易に発明をすることができたものであるから、本願発明も、同様の理由により、その出願前に頒布された刊行物１、刊行物２及び、刊行物３に記載された発明に基づいて、当業者が容易に発明をすることができたものであって、特許法第２９条第２項の規定により特許を受けることができない。
　よって、結論のとおり審決する。